(57)【要約】【課題】  キャップの取り外し時に注射器本体にかかる負荷を抑えることができる注射器補助具を提供することを課題とする。【解決手段】  バレルと注射針を有する注射器本体と、該注射針を覆うキャップとを備える注射器用の注射器補助具であり、前記注射器本体を前記バレルの径方向で収容及び取り出しが可能な筐体と、該筐体に収容された前記注射器本体から前記キャップを取り外すための取外部材と、前記筐体に収容された前記バレルの軸線方向と平行又は略平行な前後方向で前記取外部材を移動させるための操作部とを備え、前記取外部材は、前記筐体が有するバレルの先端側を受ける前受部の外側面に案内されて前記前後方向に移動する被案内部と、該被案内部に形成され且つ前記バレルと前記キャップとの間に挿し込まれる爪部とを有し、前記操作部への操作で前記取外部材が前記前受部に対して移動する。【選択図】図５
2019024625.tif 000002
【特許請求の範囲】
【請求項１】
筒状のバレル及び該バレルの軸線方向における一端側に設けられる注射針を有する注射器本体と、該注射針を覆うようにして該注射器本体に装着されるキャップとを備える注射器用の注射器補助具であって、
前記注射器本体を前記バレルの径方向で収容及び取り出しが可能な筐体と、
該筐体に収容された前記注射器本体から前記キャップを取り外すための取外部材と、
前記筐体に収容された前記バレルの軸線方向と平行又は略平行な前後方向で前記取外部材を移動させるための操作部とを備え、
前記筐体は、収容した前記バレルの先端側を受ける前受部を有し、
前記取外部材は、
前記前受部の外側面に案内されて前記前後方向に移動する被案内部と、
該被案内部に形成され且つ前記筐体に収容された前記バレルと前記キャップとの間に挿し込まれる爪部とを有し、
前記操作部に対する操作に伴い、前記取外部材が前記前受部に対して前記前後方向で移動するように構成される
注射器補助具。
【請求項２】
前記前受部は、前記筐体の外装に一体成形され、
前記爪部は、前記バレルと前記キャップとの間に挿込可能な初期位置と、該初期位置よりも前方側の取外位置とに移動可能であり、且つ前記初期位置に配置されている状態において前記前受部の前端に当接するように構成される
請求項１に記載の注射器補助具。
【請求項３】
前記筐体は、前記バレルの前記軸線方向における他端側に形成されたフランジ部に対して前記前後方向における少なくとも前方側で係合する係合止部を有し、該係合止部が前記外装に一体成形される
請求項２に記載の注射器補助具。
【請求項４】
前記筐体は、
前記筐体からの前記注射器本体の抜き取りを規制可能な抜取規制部を備え、
前記前受部には、前記前受部の後方で前記バレルを受ける後受部が含まれ、
前記抜取規制部は、
前記前受部と前記後受部との間に進退可能であり、且つ
前記前受部と前記後受部との間に進出した状態で
前記筐体に収容されている前記注射器本体の前記バレルの上方を遮るとともに、
前記バレルを前記前受部及び前記後受部に向けて押すように構成される
請求項２又は請求項３に記載の注射器補助具。
【発明の詳細な説明】
【技術分野】
【０００１】
本発明は、自己注射を行う際に注射器に取り付けて使用する注射器補助具に関する。
【背景技術】
【０００２】
従来から、患者が注射器を使用して自身に注射剤を投与する自己注射が行われている。自己注射に用いられる注射器は、注射剤が充填される筒状のバレル及び該バレルの軸線方向における一端に設けられる注射針を有する注射器本体と、該注射針を覆うようにして該注射器本体に装着されるキャップとを備えている。
【０００３】
前記注射器を用いて自己注射を行う場合、患者は、注射器本体からキャップを取り外して注射針を露出させ、注射針を適切な穿刺深度で人体に穿刺することになる。しかしながら、注射針の穿刺深度を調整することは難しく、また、患者の容体によっては注射器本体からキャップを取り外すことも困難なことがある。
【０００４】
そこで、患者が簡単且つ適切に自己注射を行えるようにするための注射器補助具が提供されている。
【０００５】
かかる注射器補助具は、例えば、特許文献１に開示されているように、上方を開放させた本体と、該本体上を開閉可能なカバーと、前記本体内に対してスライド可能に取り付けられた針キャップ抜去機構部（以下、抜去機構部と称する）と、カバーの閉動作に伴って抜去機構部をスライドさせるためのカムとを備えている。
【０００６】
抜去機構部には、注射器本体をバレルの径方向で抜差可能な凹部が形成された収容部と、該収容部に一体成形された爪部とを有する。
【０００７】
爪部は、収容部に収容された注射器本体とキャップとの間に挿し込まれる部分であり、収容部に差し込まれたバレルの軸線方向と平行又は略平行となる方向において、収容部とともにスライド可能に構成されている。
【０００８】
カムは、本体内に取り付けられており、カバーの閉動作に伴って抜去機構部を前方に押し出すように構成されている。
【０００９】
前記注射器補助具によれば、収容部内に注射器本体が挿し込まれ、且つ爪部が注射器本体とキャップとの間に挿し込まれている状態においてカバーが閉じられると収容部ごと爪部が前進し、該爪部によってキャップが押されて注射器本体から外れるようになっている。
【先行技術文献】
【特許文献】
【００１０】
【特許文献１】特開２０１６−１１６９０８号公報
【発明の概要】
【発明が解決しようとする課題】
【００１１】
ところで、従来の注射器補助具は、キャップを注射器本体から外す際に、注射器本体を受け止めている収容部が爪部とともにスライドするため、注射器本体に対して収容部が擦れたり、押し付けられたりすることがあり、注射器本体に負荷がかかることが問題となっている。
【００１２】
そこで、本発明は、斯かる実情に鑑み、キャップの取り外し時に注射器本体にかかる負荷を抑えることができる注射器補助具を提供することを課題とする。
【課題を解決するための手段】
【００１３】
本発明の注射器補助具は、
筒状のバレル及び該バレルの軸線方向における一端側に設けられる注射針を有する注射器本体と、該注射針を覆うようにして該注射器本体に装着されるキャップとを備える注射器用の注射器補助具であって、
前記注射器本体を前記バレルの径方向で収容及び取り出しが可能な筐体と、
該筐体に収容された前記注射器本体から前記キャップを取り外すための取外部材と、
前記筐体に収容された前記バレルの軸線方向と平行又は略平行な前後方向で前記取外部材を移動させるための操作部とを備え、
前記筐体は、収容した前記バレルの先端側を受ける前受部を有し、
前記取外部材は、
前記前受部の外側面に案内されて前記前後方向に移動する被案内部と、
該被案内部に形成され且つ前記筐体に収容された前記バレルと前記キャップとの間に挿し込まれる爪部とを有し、
前記操作部に対する操作に伴い、前記取外部材が前記前受部に対して前記前後方向で移動するように構成される。
【００１４】
上記構成の注射器補助具によれば、筐体に注射器本体を収容すると、バレルが前受部によって受け止められ、さらに、バレルとキャップとの間には爪部が挿し込まれる。
【００１５】
また、前記注射器補助具では、バレルを受ける前受部の外側面によって、取外部材の被案内部が前記前後方向に案内されるように構成されているため、操作部を操作して取外部材を前方に移動させると、バレル（注射器本体）に取外部材が擦れることなく、キャップが爪部によって前方に押し出される。
【００１６】
従って、前記注射器補助具は、注射器本体に取外部材からの負荷を与えずにキャップを外すことができる。
【００１７】
本発明の注射器補助具において、
前記前受部は、前記筐体の外装に一体成形され、
前記爪部は、前記バレルと前記キャップとの間に挿込可能な初期位置と、該初期位置よりも前方側の取外位置とに移動可能であり、且つ前記初期位置に配置されている状態において前記前受部の前端に当接するように構成されていてもよい。
【００１８】
かかる構成によれば、前受部が外装と一体成形されるため、製造誤差等による前受部の位置ずれが抑えられる。また、かかる前受部によって爪部が初期位置に位置決めされるため、初期位置への爪部の位置決め精度が高まる。
【００１９】
本発明の注射器補助具において、
前記筐体は、前記バレルの前記軸線方向における他端側に形成されたフランジ部に対して前記前後方向における少なくとも前方側で係合する係合止部を有し、該係合止部が前記外装に一体成形されていてもよい。
【００２０】
上記構成の注射器補助具では、バレルとキャップとの間に挿し込まれる爪部と、フランジ部に対して前記前後方向における少なくとも前方側で係合する係合止部とが、係合止部が外装に一体成形されている。すなわち、筐体への注射器本体の収容位置（筐体に注射器本体をセットする位置）を定める爪部と係合止部が外装に一体成形されているため、該爪部と該係合止部の位置精度が高まる結果、筐体における注射器本体の収容位置の精度も高まる。
【００２１】
本発明の注射器補助具において、
前記筐体は、
前記筐体からの前記注射器本体の抜き取りを規制可能な抜取規制部を備え、
前記前受部には、前記前受部の後方で前記バレルを受ける後受部が含まれ、
前記抜取規制部は、
前記前受部と前記後受部との間に進退可能であり、且つ
前記前受部と前記後受部との間に進出した状態で
前記筐体に収容されている前記注射器本体の前記バレルの上方を遮るとともに、
前記バレルを前記前受部及び前記後受部に向けて押すように構成されていてもよい。
【００２２】
このようにすれば、抜取規制部が前受部と後受部との間に進出すると、該抜取規制部によって筐体に収容された注射器本体のバレル上が遮られるため、筐体からの注射器本体の脱落を防止できる。
【００２３】
また、前記注射器補助具では、抜取規制部に押された注射器本体を外装に一体成形されている前受部及び後受部とで受け止めるように構成されているため、抜取規制部に押された注射器本体の逃げが抑えられる。従って、前記注射器補助具によれば、注射器本体の保持力が高まる。
【発明の効果】
【００２４】
以上のように、本発明の注射器補助具によれば、キャップの取り外し時に注射器本体にかかる負荷を抑えることができるという優れた効果を奏し得る。
【図面の簡単な説明】
【００２５】
【図１】図１は、本発明の一実施形態に係る注射器補助具の斜視図である。
【図２】図２は、同実施形態に係る注射器補助具の平面図である。
【図３】図３は、同実施形態に係る注射器補助具の側面図である。
【図４】図４は、図２のＡ−Ａ線での断面図であって、爪部が初期位置に配置されている状態における断面図である。
【図５】図５は、図２のＡ−Ａ線での断面図であって、爪部が初期位置から取外位置に移動した状態における断面図である。
【図６】図６は、同実施形態に係る注射器補助具の平面図であって、カバーを取り外した状態の平面図である。
【図７】図７は、同実施形態に係る注射器補助具の説明図であって、筐体に収容した注射器本体からキャップを取り外す前の状態の説明図である。
【図８】図８は、同実施形態に係る注射器補助具の説明図であって、筐体に収容した注射器本体に対してキャップを押し出した状態の説明図である。
【図９】図９において、（ａ）は図７の爪部の近傍領域の拡大図であり、（ｂ）は図８の爪部の近傍領域の拡大図である。
【図１０】図１０は、キャップ付きの注射器の説明図である。
【発明を実施するための形態】
【００２６】
以下、本発明の一実施形態にかかる注射器補助具について、添付図面を参照しつつ説明する。本実施形態に係る注射器補助具は、患者が自己注射を行う際に、注射器に取り付けて使用するものである。
【００２７】
また、注射器とは、注射針を覆って保護するためのキャップが取り付けられたキャップ付きの注射器である。より具体的に説明すると、注射器９は、図１０に示すように、内部に注射剤が充填されるバレル９０と、該バレル９０の軸線方向における一端に設けられた注射針９１と、バレル９０内に充填されている液体を射出する際に操作するプランジャ９２とを有する注射器本体９３を備えている。
【００２８】
バレル９０は、円筒状のバレル本体部９００と、該バレル本体部９００の軸線方向における一端（先端）から延出するノズル部９０１と、バレル本体部９００の前記軸線方向における他端（基端）に形成されたフランジ部９０２とを有する。
【００２９】
ノズル部９０１は、中空筒状であり、バレル９０よりも小径となるように形成されている。また、ノズル部９０１の内部は、バレル９０の内部に連通している。フランジ部９０２は、バレル９０の外周全周から径方向外方に向かって突出している。
【００３０】
注射針９１は、長手方向における一端側がノズル部９０１内に挿通された状態で固定されている。
【００３１】
プランジャ９２は、棒状のロッド９２０と、該ロッド９２０の長手方向における一端に固定され且つバレル本体部９００の内周面全周に亘って密接するガスケット９２１と、ロッド９２０の長手方向における他端に設けられる頭部９２２とを有する。
【００３２】
キャップ９４は、ノズル部９０１に外嵌させて注射器本体９３に装着するように構成されている。また、注射器本体９３に装着されたキャップ９４とバレル９０との間には、前記軸線方向において隙間が形成されるようになっている。
【００３３】
注射器補助具１は、図１、及び図４に示すように、注射器９をバレル９０の径方向で収容及び取り出しが可能な筐体２と、該筐体２に収容された注射器本体９３からキャップ９４を取り外すように構成された取外部材３であって、筐体２内に設けられた取外部材３と、筐体２に収容されたバレル９０の軸線方向と平行又は略平行な前後方向で取外部材３を移動（スライド）させるための操作部４と、筐体２からの注射器本体９３の抜き取りを規制可能な抜取規制部５と、筐体２に操作部４を取り付けるための取付構造６（図３参照）と、筐体２内で取外部材３を前記前後方向における一方向側に付勢するための付勢構造７とを備えている。
【００３４】
なお、本実施形態では、平面視において前記前後方向に直交する方向（図２の上下方向に対応する方向）を幅方向と称し、該幅方向及び前記前後方向のそれぞれに直交する方向を上下方向と称して以下の説明を行うこととする。また、本実施形態では、筐体２への注射器９の収容、又は取り外しを行う方向が前記上下方向と対応している。
【００３５】
図１に示すように、筐体２は、凹状のケース部２０と、該ケース部２０上に取り付けられるカバー部２１と、ケース部２０及びカバー部２１の前端側に設けられる前壁部２２と、ケース部２０及びカバー部２１の後端側に設けられる後壁部２３とを備えている。
【００３６】
ケース部２０は、前記前後方向における寸法が前記幅方向における寸法よりも長くなっている。また、ケース部２０は、前記幅方向における両端側から中央部側になるにつれて下方に向かうように湾曲している。
【００３７】
そのため、図３に示すように、ケース部２０の底部２００における前記幅方向の両側から上方に向かって延出する一対の壁部（以下、下壁部と称する）２０１は、下端側から上端側になるにつれて前記幅方向における外側に向かって広がるように湾曲している。すなわち、各下壁部２０１は、筐体２の外方側に膨らむように丸みを帯びている。
【００３８】
また、本実施形態に係るケース部２０では、一対の下壁部２０１のうちの一方の下壁部２０１に対して操作部４を配置するためのケース側切欠部２０１ａが形成されている。ケース側切欠部２０１ａは、下壁部２０１の後端側（後壁部２３に隣接する一端側）に形成されている。
【００３９】
カバー部２１は、ケース部２０上で注射器９を受けるように構成されている。本実施形態に係るカバー部２１は、図２に示すように、前記幅方向で間隔をあけて並ぶ一対の壁部（以下、上壁部と称する）２１０と、一対の上壁部２１０の間でバレル９０を受ける受部２１１と、フランジ部９０２に前記前後方向で係合する係合止部（採番しない）であって、注射器本体９３の前記前後方向での移動を規制するための係合止部とを有する。
【００４０】
上壁部２１０は、前記前後方向に延びている。また、各上壁部２１０は、それぞれが別の下壁部２０１（下壁部２０１の上端）に重ねて配置されており、下端側から上端側になるにつれて前記幅方向における内側に向かうように湾曲している。すなわち、各上壁部２１０も円弧状に形成されており、筐体２の外方側に膨らむように丸みを帯びている。
【００４１】
なお、ケース部２０の底部２００、下壁部２０１、及びカバー部２１の上壁部２１０は、使用者（患者）が自己注射を行う際に握る部分である筐体２の外装を構成している。
【００４２】
一対の上壁部２１０の上端は、前記幅方向で間隔をあけて対向している。そのため、カバー部２１では、一対の上壁部２１０の上端の間の領域を通じて筐体２内への注射器本体９３の収容、又は取り出しを行えるようになっている。
【００４３】
各上壁部２１０の上端部には、前記幅方向における外方側に向けて凹状となる挿込凹部２１０ａが形成されている。挿込凹部２１０ａは、上壁部２１０の後端側に形成されており、隣り合う上壁部２１０の挿込凹部２１０ａと前記幅方向で並んでいる。
【００４４】
さらに、本実施形態に係るカバー部２１では、図３に示すように、一対の上壁部２１０のうちの一方の上壁部２１０（前記一方の下壁部２０１上に配置される上壁部２１０）に対して、操作部４を配置するためのカバー側切欠部２１０ｂが形成されている。カバー側切欠部２１０ｂは、上壁部２１０の後端側に形成されており、ケース側切欠部２０１ａと連続して筐体２の内外に連通する連通領域を構成している。
【００４５】
受部２１１は、受け止めたバレル９０を横たわった姿勢で保つことができるように構成されており、図４に示すように、前記幅方向における両側端に対して前記幅方向における中央部が下方側に位置するように凹状に湾曲している。
【００４６】
本実施形態に係る受部２１１は、上壁部２１０の前端側（前壁部２２に隣接する一端側）に形成された前受部２１２と、前記前後方向において前受部２１２の後方（すなわち、該前受部２１２よりも上壁部２１０の後端側）に形成された後受部２１３とで構成されている。
【００４７】
そのため、受部２１１は、筐体２に収容されるバレル９０の先端側を前受部２１２で受け、該バレル９０の後端側を後受部２１３で受けるように構成されている。なお、本実施形態では、前受部２１２と、後受部２１３とが各上壁部２１０に対して一体成形されている。
【００４８】
前受部２１２は、別々の上壁部２１０の上端から下方に延出する一対の前側延出部２１２ａと、該一対の前側延出部２１２ａのそれぞれの先端に連続する前側底部２１２ｂとを有する。
【００４９】
一対の前側延出部２１２ａは、前記幅方向で間隔をあけて対向している。また、前側延出部２１２ａは、前記幅方向における内面及び外面が前記前後方向に沿って広がっている。
【００５０】
前側底部２１２ｂは、前記幅方向における両端側から中央部側になるにつれて下方に向かうように湾曲している。そのため、前側底部２１２ｂの内周面及び外周面も、円弧状に形成されており、前記幅方向における両端側から中央部側になるにつれて下方に向かうように湾曲している。
【００５１】
後受部２１３は、別々の上壁部２１０の上端から下方に延出する一対の後側延出部２１３ａと、該一対の後側延出部２１３ａのそれぞれの先端に連続する後側底部２１３ｂとを有する。
【００５２】
一対の後側延出部２１３ａは、前記幅方向で間隔をあけて対向している。また、後側延出部２１３ａは、前記幅方向における内面及び外面が前記前後方向に沿って広がっている。
【００５３】
後側底部２１３ｂは、前記幅方向における両端側から中央部側になるにつれて下方に向かうように湾曲している。そのため、後側底部２１３ｂの内周面及び外周面も、円弧状に形成されており、前記幅方向における両端側から中央部側になるにつれて下方に向かうように湾曲している。
【００５４】
なお、後受部２１３は、上述のように、前受部２１２の後方に形成されているため、後受部２１３の前端と前受部２１２の後端との間にはスペースが形成されている。
【００５５】
また、後受部２１３は、後壁部２３から前方側にずれた位置に形成されており、これにより、後受部２１３の後端と後壁部２３（後壁部２３の前面）との間には隙間が形成されている。
【００５６】
本実施形態では、筐体２に収容した注射器本体９３のフランジ部９０２が各上壁部２１０の挿込凹部２１０ａと、後受部２１３の後端と後壁部２３との間の隙間の間とに配置されるようになっている。
【００５７】
そのため、筐体２では、フランジ部９０２に対して前方側で後受部２１３の後端が係合し、後方側で後壁部２３の前面が係合する。すなわち、後受部２１３の後端と、後壁部２３の前面とが注射器本体９３の前記前後方向での移動を規制する係合止部を構成している。
【００５８】
前壁部２２は、筐体２の前面を構成している。また、前壁部２２は、自己注射が行われる際に人体にあてがわれる部分である。
【００５９】
前壁部２２には、図１に示すように、上方に向けて開放する前壁凹部２２０が形成されている。前壁凹部２２０は、前後方向においても開放しており、筐体２内や、一対の上壁部２１０の上端の間の領域に対して前記前後方向で連続している。
【００６０】
なお、本実施形態に係る前壁部２２は、ケース部２０及びカバー部２１の内側に対応する場所に位置する前壁本体部２２１と、ケース部２０及びカバー部２１から外側に延出する前壁延出部２２２とを有する。
【００６１】
後壁部２３は、筐体２の後面を構成している。後壁部２３には、上方に向けて開放する後壁凹部２３０が形成されている。後壁凹部２３０も、前後方向においても開放しており、筐体２内や、一対の上壁部２１０の上端の間の領域に対して前記前後方向で連続している。
【００６２】
取外部材３は、前記前後方向において移動可能であり、図４、及び図５に示すように、操作部４の動きに連動して前記前後方向に移動（スライド）するように構成されている。また、取外部材３は、前方側への移動に伴い、筐体２に収容されている注射器本体９３からキャップ９４を取り外すように構成されている。
【００６３】
本実施形態に係る取外部材３は、図４、及び図６に示すように、受部２１１（前受部２１２）の外側面に案内されて前後方向に移動する被案内部３０と、該被案内部３０に形成され且つ筐体２に収容されたバレル９０とキャップ９４との間に挿し込まれる爪部３１と、被案内部３０と一体に形成され且つ前記付勢構造７によって前記前後方向における後方側に付勢される被付勢部３２（図４参照）と、被案内部３０と一体に形成され且つ操作部４が連結される被連結部３３とを有する。
【００６４】
被案内部３０は、前記前後方向でスライド可能となるよう、前受部２１２の外側面に重ねて配置されている。
【００６５】
本実施形態に係る被案内部３０には、前受部２１２の外側面にあてがわれる凹状の当接面３００が形成されており、該当接面３００は、前側延出部２１２ａの外側面に当接する横側当接面３０１と（図５参照）、前側底部２１２ｂの外側面に当接する底側当接面３０２とを有する。
【００６６】
これにより、被案内部３０は、前受部２１２の外側面によって前記前後方向に案内されるように構成されている。このように、前受部２１２は、前記前後方向で取外部材３を案内するガイド部としての役割も担っている。
【００６７】
また、取外部材３が最も後方側に配置されている状態において、被案内部３０の当接面３００は、全体が前受部２１２の外側面と当接するため、被案内部３０の当接面３００とバレル９０との間が前受部２１２で遮られた状態になる。
【００６８】
一方、取外部材３が最も後方側から前方に向けて移動すると、当接面３００の前端側が前受部２１２よりも前方に進出した状態、すなわち、当接面３００の前端側が注射器本体９３に対して露出した状態になるが、前受部２１２の内側面と当接面３００との間には前受部２１２の厚みの分だけ段差が生じるため、当接面３００は注射器本体９３（バレル９０）に対して非接触である。
【００６９】
爪部３１は、図６に示すように、被案内部３０の前端に形成された一対の引掛片３１０を有する。引掛片３１０は、前記幅方向において、互いに間隔をあけて並ぶように形成されている。なお、一対の引掛片３１０の間の間隔は、キャップ９４の外形よりも小さく設定されている。
【００７０】
爪部３１は、前後方向における移動範囲のうちの最も後方側（前記前後方向において最も後方側）である初期位置と、該移動範囲のうちの最も前方側の位置である取外位置とに移動可能である。なお、初期位置とは、筐体２に注射器本体９３を収容した際に、バレル９０とキャップ９４との間に挿込可能となる爪部３１の配置位置のことであり、取外位置とは、注射器本体９３からキャップ９４を外した際の爪部３１の配置位置のことである。
【００７１】
引掛片３１０は、片状であり、前方に向けて配置される前面と、後方に向けて配置される後面とを有する。
【００７２】
引掛片３１０の前面は、取外部材３が初期位置から取外位置に向かって移動する際にキャップ９４に当接する面であり、引掛片３１０の後面は、取外部材３が初期位置に配置されている状態において、前受部２１２の前端に当接する面である。
【００７３】
被付勢部３２は、図４に示すように、ケース部２０の底部２００上に配置されている。また、被付勢部３２は、前壁部２２側に向けて配置される受圧面３２０を有し、該受圧面３２０によって付勢構造７の後述する付勢部材からの付勢力を受けるように構成されている。
【００７４】
被連結部３３は、被案内部３０の後方に形成されている。本実施形態に係る被連結部３３は、前記幅方向及び前記前後方向に広がる平面３３０ａを有するベース部３３０と、該ベース部３３０の平面３３０ａに立設された連結軸部３３１とを有する。
【００７５】
操作部４は、図６に示すように、筐体２に対して回転可能に取り付けられたレバー部４０と、該レバー部４０に連続し且つ筐体２内で被連結部３３に連結される作動部４１とを有する。
【００７６】
レバー部４０の基端部は、前記連通領域から筐体２内に挿し込まれており、取付構造６により筐体２内に回転可能に取り付けられている。
【００７７】
ここで、取付構造６の説明を行う。取付構造６は、図３に示すように、前記レバー部４０を軸支する回転軸部６０を有する。回転軸部６０は、筐体２内で前記上下方向に延びている。なお、本実施形態では、ケース部２０の前記一方の下壁部２０１と、前記一方の上壁部２１０とに対して一つずつ回転軸部６０が形成されている。
【００７８】
そのため、操作部４は、レバー部４０を筐体２に対して押し倒した姿勢に切り替える押倒操作と、筐体２に対して押し倒された姿勢のレバー部４０を引き起こす引起操作とを行うことができるように構成されている。
【００７９】
なお、本実施形態では、操作部４を押倒操作すると、取外部材３が前方に移動するとともに、後述する抜取規制部５が上壁部２１０の上端部よりもさらに内側（前記幅方向における内側）に進出する。一方、操作部４を引起操作すると、取外部材３が後方に移動するとともに、後述する抜取規制部５が上壁部２１０の上端部の外側（前記幅方向における外側）に退避する。
【００８０】
作動部４１は、図６に示すように、平板状であり、被連結部３３の平面３３０ａ上に重ねて配置されている。また、作動部４１には、面直交方向において貫通する連結孔４１０が形成されており、該連結孔４１０に連結軸部３３１が挿通されている。なお、連結孔４１０は、平面視において、長円状となるように形成されている。
【００８１】
さらに、本実施形態に係る操作部４は、筐体２に対して押し倒された状態を維持できるように構成されている。より具体的に説明すると、本実施形態に係る注射器補助具１は、ロック構造８をさらに備えており、該ロック構造８は、操作部４に形成された引掛部８０と、筐体２内に形成された掛止軸部８１であって、該引掛部８０を掛止するための掛止軸部８１とを有する。
【００８２】
抜取規制部５は、図４に示すように、前受部２１２と後受部２１３の間において、筐体２に注射器本体９３を収容する領域（以下、収容領域と称する）に対して進退可能に構成されている。
【００８３】
本実施形態に係る抜取規制部５は、作動部４１の上面に立設されている。また、抜取規制部５には、前記幅方向における内側に対して凹状の抜止凹部５０が形成されている。
【００８４】
抜止凹部５０は、前記幅方向における内側から外側に向かって湾曲した曲面によって構成されている。そして、抜取規制部５が収容領域内に進出すると、抜止凹部５０内には、バレル９０の側部が配置されるようになっている。
【００８５】
また、抜取規制部５は、収容領域内への進出に伴い、抜止凹部５０の上端部をバレル９０の上方に配置することができるように構成されており、これにより、筐体２からの注射器本体９３の脱落を防止できるようになっている。
【００８６】
付勢構造７は、図４に示すように、前記前後方向において被付勢部３２の前方に配置された台部７０と、該台部７０と被付勢部３２の受圧面３２０とに取り付けられた付勢部材７１とを有する。
【００８７】
付勢部材７１は、例えば、圧縮コイルバネで構成されており、台部７０に対して受圧面３２０を後方に向けて付勢するように構成されている。そのため、取外部材３は、付勢構造７により常時後方に向けて付勢されている。
【００８８】
本実施形態に係る注射器補助具１は、以上の構成である。続いて、注射器補助具１の使用方法について説明する。
【００８９】
患者は、自己注射を行うにあたり、まず、キャップ９４付きの注射器９を注射器補助具１にセットする。
【００９０】
キャップ９４付きの注射器９を注射器補助具１にセットするには、まず、レバー部４０を引起操作して取外部材３を初期位置に配置し、取規制部５を収容領域内から退避させた後に、注射器本体９３をバレル９０の径方向で筐体２（一対の上壁部２１０の間）に挿し込む。
【００９１】
このようにすると、バレル９０の先端側が前受部２１２によって受け止められ、バレル９０の基端側が後受部２１３によって受け止められる。これにより、注射器本体９３が筐体２内で横たわった姿勢で収容される。これに伴い、バレル９０とキャップ９４との間の隙間に爪部３１が挿し込まれる。
【００９２】
また、係合止部を構成する後壁部２３と後受部２１３との間にはフランジ部９０２が挿し込まれるため、注射器本体９３の前記前後方向での移動が規制される。これにより、注射器補助具１への注射器９のセットが完了する。
【００９３】
続いて、患者は、図７に示すように、筐体２の後端側に人差指を添え、筐体２の前端側に小指を添えるようにして筐体２を掴む。
【００９４】
そして、図８に示すように、患者が自己注射を行いたいタイミングに合わせてレバー部４０を筐体２に対して押倒操作すると、取外部材３が前受部２１２の外側面に案内されながら前方に向かって移動する。
【００９５】
これに伴い、図９（ａ）、及び図９（ｂ）に示すように、キャップ９４が引掛片３１０によって前方に押し出されるため、該キャップ９４が注射器本体９３から外れ、注射器補助具１にセットした注射器９で自己注射できる状態になる。
【００９６】
また、操作部４が引起状態から押倒状態に切り替えられると引掛部８０が掛止軸部８１に掛止される。そのため、患者の指が操作部４から離れても、操作部４の筐体２に対して押し倒されている状態が維持され、抜取規制部５によって筐体２からの注射器本体９３の抜き取りが規制され続ける。
【００９７】
なお、操作部４を押倒状態から引起状態に切り替えれば、抜取規制部５が収容領域（上壁部２１０の上端よりも内側の領域）の外側に退避するため、注射器本体９３を筐体２から取り出すことができるようになる。
【００９８】
以上のように、本実施形態に係る注射器補助具１によれば、バレル９０を受ける前受部２１２の外側面によって、取外部材３の被案内部３０が前記前後方向に案内されるように構成されているため、操作部４を操作（押倒操作）して取外部材３を前方に移動させても、バレル９０（注射器本体９３）に取外部材３が擦れることなく、キャップ９４が爪部３１によって前方に押し出されて注射器本体９３から外れる。
【００９９】
また、操作部４を操作（引起操作）して取外部材３を後方に移動させる場合においても、取外部材３の被案内部３０が前受部２１２の外側面によって前記前後方向に案内されるため、取外部材３がバレル９０に擦れることなく初期位置に戻る。
【０１００】
このように、注射器補助具１は、バレル９０に取外部材３からの負荷を与えずに注射器本体９３からキャップ９４を外せるため、キャップ９４の取り外し時に注射器本体９３にかかる負荷を抑えることができるという優れた効果を奏し得る。
【０１０１】
また、取外部材３が初期位置に配置されている状態においては、被案内部３０の当接面３００全体が前受部２１２の外側面と当接するため、被案内部３０の当接面３００とバレル９０との間が前受部２１２で遮られており、また、取外部材３が初期位置から取外位置に移動した際においては、注射器本体９３に対して当接面３００が露出するが、当接面３００が注射器本体９３に対しては非接触となるため、当接面３００がバレル９０に対して擦れたり、押し付けられたりすることが確実に防止される。
【０１０２】
また、本実施形態に係る注射器補助具１では、前受部２１２が注射器本体９３を収容するカバー部２１の外装（上壁部２１０）と一体成形されるため、製造誤差等による前受部２１２の位置ずれが抑えられる。また、爪部３１は、初期位置に配置されると前受部２１２の前端に当接する、すなわち、前受部２１２の前端によって初期位置に位置決めされるため、初期位置への爪部３１の位置決め精度が高まる。
【０１０３】
さらに、本実施形態に係る注射器補助具１は、筐体２への注射器本体９３の収容位置（筐体２に注射器本体９３をセットする位置）を定める爪部３１と係合止部が外装（上壁部２１０）に一体成形されているため、該爪部３１と該係合止部の位置精度が高まる結果、筐体２における注射器本体９３の収容位置の精度も高まる。
【０１０４】
そして、本実施形態に係る注射器補助具１では、抜取規制部５に押された注射器本体９３を外装に一体成形されている前受部２１２及び後受部２１３とで受け止めるように構成されているため、抜取規制部５に押された注射器本体９３の逃げが抑えられ、これにより、注射器本体９３の保持力が高まる。
【０１０５】
なお、本実施形態に係る注射器補助具は、上記一実施形態に限定されるものではなく、本発明の要旨を逸脱しない範囲において種々変更を行うことは勿論である。
【０１０６】
また、上記実施形態において、特に言及しなかったが、前壁部２２は、カバー部２１に対して一体成形されていてもよいし、ケース部２０に対して一体成形されていてもよいし、カバー部２１及びケース部２０とは別体で構成したものをカバー部２１とケース部２０とに取り付けるように構成されていてもよい。
【０１０７】
また、後壁部２３も、カバー部２１に対して一体成形されていてもよいし、ケース部２０に対して一体成形されていてもよいし、カバー部２１及びケース部２０とは別体で構成したものをカバー部２１とケース部２０とに取り付けるように構成されていてもよい。
【０１０８】
上記実施形態において、付勢部材７１は、操作部４を間接的に付勢していたが、この構成に限定されず、例えば、操作部４を直接的に付勢してもよい。
【０１０９】
上記実施形態において、付勢構造７では、付勢部材７１が取外部材３を前壁部２２側から後壁部２３側に向けて押すように付勢していたが、この構成に限定されない。例えば、付勢構造７は、付勢部材７１が後壁部２３と取外部材３との間に配置され、且つ取外部材３を後壁部２３側に引っ張るように構成されていてもよい。
【符号の説明】
【０１１０】
１…注射器補助具、２…筐体、３…取外部材、４…操作部、５…抜取規制部、６…取付構造、７…付勢構造、８…ロック構造、９…注射器、２０…ケース部、２１…カバー部、２２…前壁部、２３…後壁部、３０…被案内部、３１…爪部、３２…被付勢部、３３…被連結部、４０…レバー部、４１…作動部、５０…抜止凹部、６０…回転軸部、７０…台部、７１…付勢部材、８０…引掛部、８１…掛止軸部、９０…バレル、９３…注射器本体、９４…キャップ、２００…底部、２０１…下壁部、２０１ａ…ケース側切欠部、２１０…上壁部、２１０ａ…挿込凹部、２１０ｂ…カバー側切欠部、２１１…受部、２１２…前受部、２１２ａ…前側延出部、２１２ｂ…前側底部、２１３…後受部、２１３ａ…後側延出部、２１３ｂ…後側底部、２２０…前壁凹部、２２１…前壁本体部、２２２…前壁延出部、２３０…後壁凹部、３００…当接面、３０１…横側当接面、３０２…底側当接面、３１０…引掛片、３２０…受圧面、３３０…ベース部、３３０ａ…平面、３３１…連結軸部、４１０…連結孔、９０２…フランジ部
【図１】
2019024625.tif 000003
【図２】
2019024625.tif 000004
【図３】
2019024625.tif 000005
【図４】
2019024625.tif 000006
【図５】
2019024625.tif 000007
【図６】
2019024625.tif 000008
【図７】
2019024625.tif 000009
【図８】
2019024625.tif 000010
【図９】
2019024625.tif 000011
【図１０】
2019024625.tif 000012